(57)【要約】【課題】挿入された紙幣を識別し収納する紙幣処理部を上部に配置し、メダルを払い出すメダル払い出し装置を下部に配置したメダル貸機において、従来はＬＥＤ表示部と制御装置とが離れた場所にあるため、この両者はリード線で接続する必要があり、組立ての手間がかかる。また、プリント基板を筐体に収納した制御装置の上下寸法によって、メダル収納部の奥側に押し込まれて積み重ねられるメダルの収納数が制限されるという問題が生じる。本発明は、このような問題を解決するものである。【解決手段】メダル収納部の前面側にはメダル補充用扉を設け、電気部品を取り付けた基板をメダル収納部の上部領域に紙幣処理部に近づくように後方に高く傾斜状態に配置したことを特徴とする。【選択図】      図３
2004321291.tif 000002
【特許請求の範囲】
【請求項１】
紙幣挿入口から挿入された紙幣を識別し収納する紙幣処理部を上部に配置し、前記識別に基づきメダル収納部に収納したメダルを払い出すメダル払い出し装置を下部に配置して遊技機に隣接設置されるメダル貸機であって、前記メダル収納部の前面側にはメダル補充用扉を設け、電気部品を取り付けた基板を前記メダル収納部の上部領域に前記紙幣処理部に近づくように後方に高く傾斜状態に配置したことを特徴とするメダル貸機。
【請求項２】
紙幣挿入口から挿入された紙幣を識別し収納する紙幣処理部を上部に配置し、前記識別に基づき上位のメダル収納部に収納したメダルを払い出すメダル払い出し装置を下部に配置して遊技機に隣接設置されるメダル貸機であって、前記メダル収納部の前面側にはメダル補充用扉を設け、電気部品を取り付けた基板を前記メダル収納部の上部領域に前記紙幣処理部に近づくように後方に高く傾斜状態に配置し、前記基板の前部分にはメダル貸機の前面から目視できる表示器を取り付けたことを特徴とするメダル貸機。
【請求項３】
前記メダル貸機の前面には、前記表示器と共に後方に高く傾斜した斜め表示部を形成したことを特徴とする請求項２に記載のメダル貸機。
【発明の詳細な説明】
【０００１】
【発明の属する技術分野】
本発明は、紙幣挿入口から挿入された紙幣を紙幣識別装置にて識別してメダルを払い出すメダル払い出し装置を備えたメダル貸機に関する。
【０００２】
【従来の技術】
挿入された紙幣を紙幣識別装置により識別してメダルを払い出すメダル払い出し装置を備えたメダル貸機は、スロットマシンのようなメダル使用の遊技機相互間に配置されて使用されるため、台間メダル貸機又は単に台間機と称されることがある。先行技術において、台間メダル貸機に紙幣識別装置が内蔵されたタイプとしては、紙幣投入口から挿入された紙幣を識別する紙幣識別装置１６Ａを上部に配置し、この紙幣識別装置１６Ａによる識別に基づきメダル収納部２０に収納したメダルを１枚ずつ払い出すホッパー１８を下部に配置して遊技機に隣接設置されるメダル貸機がある（例えば、特許文献１参照）。
【０００３】
この特許文献１においては、ＬＥＤ１７Ａが複数並列に設けられた表示板１７が台間メダル貸機の正面に設けられ、紙幣識別装置１６Ａで識別した紙幣の金額に相当するメダルの数量をこのＬＥＤ１７Ａによって表示する。そして、紙幣識別装置１６Ａ、ＬＥＤ１７Ａ、ホッパー１８は、制御装置１９に接続されて制御される構成である。この制御装置１９は、表示板１７が台間メダル貸機内でメダル収納部２０の上部に水平状態に設置されている。
【０００４】
【特許文献１】
特開２０００−３１２７７４号公報（第３〜５頁、図１〜図２）
【０００５】
【発明が解決しようとする課題】
このように特許文献１では、ＬＥＤの表示板１７は台間メダル貸機の正面に縦方向に配置されており、ＬＥＤ１７Ａと制御装置１９が離れた位置にあるため、ＬＥＤ１７Ａと制御装置１９とは、それぞれ別個の取り付けが必要であると共にＬＥＤ１７Ａと制御装置１９とはリード線で接続する必要があり、組立ての手間がかかる。
【０００６】
また特許文献１では、正面の錠Ｋ２によって正面扉を開いてメダル収納部２０へメダルの補充を行う構成であるため、メダル収納部２０の正面側は正面扉の開閉の関係上、多くのメダルを積み重ねることができず、メダルの多くはメダル収納部２０の奥側に押し込まれるようにして積み重ねられる。しかし、制御装置１９がメダル収納部２０の上部に水平状態に設置されているため、積み重ねられるメダルの収納数が制御装置１９によって制限される。
【０００７】
特に、複雑な制御を行うシステムとした場合には、制御装置１９を構成する制御回路がマイクロコンピュータの方式によって複雑化し電気部品数が多くなり、電気部品を取り付けるプリント基板も上下複数枚に配置するようになる。このため、プリント基板を筐体に収納した制御装置１９の上下寸法が大きくなり、メダル収納部２０の奥側に押し込まれて積み重ねられるメダルの収納数が、制御装置１９によって制限されるという問題が更に大きくなる。
【０００８】
本発明はこのような点に鑑みて、紙幣挿入口から挿入された紙幣を識別する紙幣識別装置を上部に配置し、この紙幣識別装置による識別に基づきメダル収納部に収納したメダルを払い出すメダル払い出し装置を下部に配置して遊技機に隣接設置されるメダル貸機において、制御装置の電気部品を取り付けたプリント基板の配置を特定することによって、メダル収納部の奥側に押し込まれて積み重ねられるメダルの収納数が制限されるという問題を改善するものである。
【０００９】
また本発明は、台間メダル貸機の正面に設けられる表示部を後方に高く傾斜した見易い表示とすると共に、プリント基板と表示器を一体的に取り付ける構成とすることにより、メダル貸機への組立て手間を省くことができる構成を提供するものである。その場合、メダル収納部の奥側に押し込まれて積み重ねられるメダルの収納数が制限されるという問題を改善することと関連付けづけた構成とすることによって達成するものである。
【００１０】
【課題を解決するための手段】
本発明は、紙幣挿入口から挿入された紙幣を識別し収納する紙幣処理部を上部に配置し、前記識別に基づきメダル収納部に収納したメダルを払い出すメダル払い出し装置を下部に配置して遊技機に隣接設置されるメダル貸機であって、前記メダル収納部の前面側にはメダル補充用扉を設け、電気部品を取り付けた基板を前記メダル収納部の上部領域に前記紙幣処理部に近づくように後方に高く傾斜状態に配置したことを特徴とする。
【００１１】
これによって、メダル収納部の奥側に押し込まれて積み重ねられるメダルの収納数が、電気部品を取り付けた基板によって制限されるという問題を改善できるものである。
【００１２】
また、本発明は、紙幣挿入口から挿入された紙幣を識別し収納する紙幣処理部を上部に配置し、前記識別に基づき上位のメダル収納部に収納したメダルを払い出すメダル払い出し装置を下部に配置して遊技機に隣接設置されるメダル貸機であって、前記メダル収納部の前面側にはメダル補充用扉を設け、電気部品を取り付けた基板を前記メダル収納部の上部領域に前記紙幣処理部に近づくように後方に高く傾斜状態に配置し、前記基板の前部分にはメダル貸機の前面から目視できる表示器を取り付けたことを特徴とする。
【００１３】
これによって、プリント基板の取り付けによって表示器が取り付けられるため、プリント基板と表示器とを別個にメダル貸機へ取り付ける手間を省くことができる。そして、メダル収納部の奥側に押し込まれて積み重ねられるメダルの収納数が制限されるという問題も改善することができる。
【００１４】
また、本発明は、上記において、メダル貸機の前面には、前記表示器と共に後方に高く傾斜した斜め表示部を形成したことを特徴とする。このため、台間メダル貸機の正面に設けられる表示部を後方に高く傾斜した見易い表示となり、取り付けもプリント基板と表示器を一体的に取り付けることにより、メダル貸機への組立て手間を省くことができる。その場合、メダル収納部の奥側に押し込まれて積み重ねられるメダルの収納数が制限されるという問題を改善することと関連付けづけた構成とすることによって達成できる効果がある。
【００１５】
【発明の実施の形態】
次に、本発明の実施の形態について説明する。各図は本発明の実施形態を示しており、図１は紙幣処理部を内蔵したメダル貸機を設置した遊技装置の正面図、図２は紙幣処理部を内蔵したメダル貸機の正面斜視図、図３は図２のメダル貸機の中間部から上方の内部構成を示す縦断側面図、図４は本発明に至る前段階の発明に係るメダル貸機の中間部から上方の内部構成を示す縦断側面図である。
【００１６】
以下、本発明の実施の形態を図に基づき説明する。１は遊技媒体としてメダルを使用するパチスロ機やスロットマシン等のような遊技機である。２は遊技機１の横に隣接するように遊技機１相互間に配置されるメダル貸機であり、台間メダル貸機とも称し、遊技機１の横に隣接するようにメダル貸機２が配置されて遊技装置の島を形成している。遊技機１とメダル貸機２は、遊技装置の島の外観形成を整えるために同一高さに形成されている。メダル貸機２は、その筐体２Ａ内の上部に紙幣処理部１０、下部にメダル払い出し部２０、そして中間部に電装部３０を内蔵している。
【００１７】
紙幣処理部１０は、挿入された紙幣の真偽判別を行う紙幣識別装置１４と、その下に識別した真正紙幣を貯える紙幣収納部１５を備えている。メダル貸機２は紙幣処理部１０と後述の電装部３０の前面側を開閉できるように前面扉１６を備えており、前面扉１６には、紙幣識別装置１４に対応した前面側に紙幣挿入部１１を備えている。前面扉１６は、遊技装置の管理者が開閉できる施錠装置１８によって閉じられているが、前面扉１６を開くことによって紙幣識別装置１４、紙幣収納部１５及び後述の電装部３０の点検や修理、そして、紙幣収納部１５に収納された紙幣の回収等ができる。紙幣収納部１５に収納された紙幣の回収は、金庫と称する紙幣収納部１５を引き出して行う構成と、紙幣収納部１５の前面側の開口部から紙幣を取り出して行う構成とがある。
【００１８】
紙幣挿入部１１は、メダル貸機２の前面に開口した紙幣挿入口１２と紙幣挿入口１２の下側又は上側に挿入適用紙幣の金種表示部１３を備えている。図に示す形態では、紙幣挿入口１２の下側の傾斜面に挿入適用紙幣の金種表示部１３を設けており、この金種表示部１３の表示は、上向きの幅広の矢印とその中の￥１０００の標記とで構成している。紙幣処理部１０は、紙幣挿入口１２から挿入された紙幣の真偽判別を紙幣識別装置１４で行い、識別した真正紙幣を紙幣収納部１５に貯える。メダル貸機２に適用可能な紙幣は、例えば、１０００円、２０００円、５０００円、１００００円の紙幣の一つ又は複数とすることもできる。
【００１９】
メダル払い出し部２０は、メダル払い出し装置２１とその上部に設けたメダル収納部２２を備え、メダル収納部２２へ収納されたメダルをメダル払い出し装置２１によって１枚ずつ所定枚数払い出すものである。メダル収納部２２へのメダルの補給は、メダル収納部２２に対応してメダル貸機２の前面に設けたメダル補充用の前面扉２３を開くことにより可能である。前面扉２３は、メダル貸機２の筐体２Ａに対して下部の軸支持部４３によって上部が回動可能に支持されており、遊技装置の管理者が開閉できる施錠装置２４によって閉じられているが、前面扉２３を開くことによって、メダル払い出し部２０の点検、修理等もできる。メダル払い出し装置２１は、メダル収納部２２の下端部において電動機機構によって回転する払い出し盤の回転によって、メダル収納部２２のメダルを１枚ずつ払い出す仕組みである。払い出されたメダルは、誘導樋２５を通って遊技機１の前面に設けたトレイ部へ排出される仕組みである。
【００２０】
電装部３０は、紙幣処理部１０とメダル払い出し部２０とに電気的に接続されている。このため電装部３０は、紙幣挿入口１２から挿入され紙幣識別装置１４にて識別された真正紙幣の金額データの読み込み制御や、この金額データを後述の表示器４０に表示させる制御や、この真正紙幣の金額に対応してメダル払い出し装置２１から払い出すメダル数を後述の表示器４０に表示させる制御や、この真正紙幣の金額に対応してメダル払い出し装置２１から所定数のメダルを払い出す制御や、メダル収納部２２の収納メダルの不足を検知センサで検知しランプ等で報知する制御等を行う。
【００２１】
電装部３０は、これらの制御を行うための電気回路素子等の電気回路部品３１が複数のプリント基板３２に取り付けられて、筐体３３に収納されている。図３には３枚のプリント基板３２が相互に電気絶縁状態に間隔を存するように、取り付け具３４によって筐体３３内に積み重ね状態に取り付けられた構成である。電装部３０の放熱のために、電装部３０と紙幣処理部１０との間には放熱空間６０を設けている。筐体３３は、上面に放熱空間６０に開放する放熱用の開口３６を形成してメダル貸機２の筐体２Ａ内の固定部３７に螺子３５によって、電装部３０全体が後方に高く前傾した姿勢で取り付けられている。これによって、プリント基板３２は後方に高く前傾した姿勢を保つ。
【００２２】
表示器４０は、１桁を８字型に配置した７セグメントのＬＥＤによって形成して３桁の数字表示ができる構成であるが、このＬＥＤ表示に代わって液晶や有機ＥＬによる表示であってもよい。表示器４０は、最上位のプリント基板３２の前部分にプリント基板３２に半田付けにて取り付けられており、表示器４０はプリント基板３２の前傾姿勢に沿った前傾姿勢を保ち、その上面を外部から目視できる形態である。
【００２３】
メダル貸機２の前面には、表示器４０と共に後方に高く傾斜した斜めの表示部１７を形成している。具体的構成として、前面扉１６には、表示器４０に対応した前面側に表示部１７を備えており、前面扉１６は合成樹脂を所定形状に成形したものであり、上部には紙幣挿入部１１が窪んで形成され、下部には表示器４０の前傾姿勢に合わせて後方に高く傾斜した斜め表示部１７を形成している。表示部１７は、上部が窪み下部が前方へ張り出した傾斜状態であり、表示器４０の上面に対応して窓４１を形成している。図の形態では、表示器４０の上面を覆う透明又は半透明の透視窓４１を前面扉１６に一体成形している。前面扉１６は下端部の軸支持部４２によってメダル貸機２の筐体２Ａに対して上部が前方へ回動可能に支持されており、上記のように、遊技装置の管理者が開閉できる施錠装置１８によってメダル貸機２の筐体２Ａに対して開閉可能である。
【００２４】
このような構成によって、遊技装置の管理者は、施錠装置２４を解除して前面扉２３の上端を前方へ開いてメダル収納部２２へメダルを補充する。前面扉２３は略９０°開くように構成され、前面扉２３を開いたときに前面扉２３の左右側からメダルが落下しないようにするために、前面扉２３の左右両側にメダル落下防止板４４が取り付けられている。この場合、電装部３０全体が後方に高く前傾した姿勢で取り付けられているため、メダル収納部２２の奥側には十分な空間が形成される。このため、ライン４５と斜線で示すように、メダルをメダル収納部２２の奥側に高く押し込んで積み重ねることが可能となる。このため、放熱空間６０を確保しつつ、メダルを多く収納することが可能となり、メダル不足の頻度が減少しメダル補充回数も減少するという効果を奏する。特に、電気部品３１が多くなって複数のプリント基板３２が間隔を保って上下に重ね合わせて配置された構成となる場合には、この効果が大きい。
【００２５】
また、プリント基板３２の取り付けによって表示器４０がメダル貸機２内へ取り付けられるため、プリント基板３２と表示器４０とを別個にメダル貸機２へ取り付ける手間を省くことができる。
【００２６】
また、メダル貸機２の前面には、表示器４０と共に後方に高く傾斜した斜め表示部１７を形成しているため、メダル貸機２の正面から表示部１７に表示される数字が見易い形態となる。
【００２７】
図４は、本発明に至る前段階の発明に係るメダル貸機２の中間部から上方の内部構成を示す縦断側面図である。この構成において、上記と同様の機能部については同一符号を付している。この構成では、電装部３０が紙幣処理部１０の下に水平状態に取り付けている。電装部３０の放熱のために、電装部３０と紙幣処理部１０との間には放熱空間６０が設けられる。電装部３０の筐体３３内に上下配置のプリント基板３２とは別個に、プリント基板３２の前方に垂直状態に表示器４０を取り付けた表示用プリント基板５０が筐体３３内に取り付けられている。このため、表示器４０は垂直状態に配置され、表示器４０の表示は、前面扉１６の垂直面に形成した透視窓５１を通してメダル貸機２の正面から目視できる構成である。
【００２８】
図４の構成では、電装部３０の放熱のために、電装部３０と紙幣処理部１０との間に放熱空間６０が設けられ、また、プリント基板３２の枚数が多くなるほど電装部３０の上下方向の厚さが厚くなるため、メダル収納部２２に収納されるメダルは、ライン４６で示すように、電装部３０によってその奥側の収納高さが制限されることとなり、メダル収納部２２に収納されるメダル数は減少することとなる。これに対して、本発明では、電装部３０が後方に高い傾斜設置であるため、放熱空間６０の確保もし易く、このような問題は解決される。
【００２９】
本発明は、上記実施形態に限定されず、本発明の技術的範囲を逸脱しない限り種々の変更が考えられ、それに係る種々の実施形態を包含するものである。
【００３０】
【発明の効果】
本発明によって、メダル収納部の奥側には十分な空間が形成されため、メダルをメダル収納部の奥側に高く押し込んで積み重ねることが可能となり、メダルを多く収納することが可能であり、メダル不足の頻度が減少しメダル補充回数も減少する。そして、電気部品が多くなって複数のプリント基板が間隔を保って上下に重ね合わせて配置された構成となる場合にも、この効果が期待できる。
【００３１】
また、請求項２の発明では、上記効果に加えて、プリント基板の取り付けによって表示器が取り付けられるため、プリント基板と表示器とを別個にメダル貸機へ取り付ける手間を省くことができる。
【００３２】
また、請求項３の発明では、上記効果に加えて、メダル貸機の前面には、表示器と共に後方に高く傾斜した斜め表示部を形成しているため、メダル貸機の正面に設けられる表示部を後方に高く傾斜した見易い表示となる。
【図面の簡単な説明】
【図１】本発明に係る紙幣処理部を内蔵したメダル貸機を設置した遊技装置の正面図である。
【図２】本発明に係る紙幣処理部を内蔵したメダル貸機の正面斜視図である。
【図３】図２のメダル貸機の中間部から上方の内部構成を示す縦断側面図である。
【図４】本発明に至る前段階の発明に係るメダル貸機の中間部から上方の内部構成を示す縦断側面図である。
【符号の説明】
１・・・遊技機
２・・・メダル貸機
１０・・紙幣処理部
１１・・紙幣挿入部
１２・・紙幣挿入口
１３・・金種表示部
１４・・紙幣識別装置
１５・・紙幣収納部
１６・・前面扉
１７・・表示部
１８・・施錠装置
２０・・メダル払い出し部
２１・・メダル払い出し装置
２２・・メダル収納部
２３・・メダル補充用の前面扉
３０・・電装部
３１・・電気回路部品
３２・・プリント基板
４０・・表示器
【図１】
2004321291.tif 000003
【図２】
2004321291.tif 000004
【図３】
2004321291.tif 000005
【図４】
2004321291.tif 000006